(57)【要約】【課題】荷物の積み下ろしを荷台の上方からクレーンを用いて行なえるようにして、荷物の積み下ろしを能率的にさせる。又、モータを利用してシートを自動的に展開させたり、巻き取り収納できるようにすることで、シートを広げたり、折り畳んで収納するといった作業を能率的に行なうことができる荷台用シート装置の提供。【解決手段】前軸２及び後軸３を、それぞれ独立した正逆転モータ２１，３１に連結させ、前軸と後軸の間に複数本のロープ６を渡すと共に、この複数本のロープ上にシート７を取り付け、後軸でロープを巻き取りながら、前軸に巻き取り収納されていたロープ及びシートを繰り出すことで、シートを展開させ、逆に、シート展開状態から前軸でロープ及びシートを巻き取りながら、後軸に巻き取られていたロープを繰り出すことで、荷台９を開放させる状態にシートを巻き取り収納させるように形成した。【選択図】　　　図１
2004066869.tif 000002
【特許請求の範囲】
【請求項１】
貨物自動車の荷台を覆うようにシートを展開させると共に、この展開させたシートを巻き取り収納させることができるようにした荷台用シート装置であって、
荷台の前部上方に荷台幅方向に横架して前軸を軸支させると共に、荷台の後部上方に荷台幅方向に横架して後軸を軸支させ、
前軸及び後軸を、それぞれ独立した正逆転モータに連結させ、
前軸と後軸の間に複数本のロープを渡すと共に、この複数本のロープ上にシートを取り付け、
後軸で各ロープを巻き取りながら、前軸に巻き取り収納されていた各ロープ及びシートを繰り出すことで、荷台を覆う状態にシートを展開させ、
このシート展開状態から前軸で各ロープ及びシートを巻き取りながら、後軸に巻き取られていた各ロープを繰り出すことで、荷台を開放させる状態にシートを巻き取り収納させるように形成したことを特徴とした荷台用シート装置。
【請求項２】
請求項１記載の荷台用シート装置において、シートにロープの延長方向に延長した複数の筒状部を形成させ、この各筒状部内に各ロープを挿通することで、ロープ上にシートを取り付けるように形成した荷台用シート装置。
【請求項３】
請求項１又は２記載の荷台用シート装置において、各ロープを、前端を前軸に取り付けた前側ロープと、後端を後軸に取り付けた後側ロープで形成させ、前側ロープの後端と後側ロープの前端を着脱可能に連結させると共に、前記シートを前側ロープ上に取り付けるようにした荷台用シート装置。
【請求項４】
請求項１又は２又は３記載の荷台用シート装置において、後軸に複数個の巻き取りドラムを取り付け、この巻き取りドラムには両端にフランジを形成させ、この各巻き取りドラムで各ロープを巻き取るように形成した荷台用シート装置。
【発明の詳細な説明】
【０００１】
【発明の属する技術分野】
本発明は、貨物自動車の荷台を覆うようにシートを展開させると共に、この展開させたシートを、その展開状態から巻き取り収納させることができるようにした荷台用シート装置に関する。
【０００２】
【従来の技術】
貨物自動車の荷台に積載した荷物を保護するための手段として、荷台を覆うようにシートを展開させる方法がある。
【０００３】
又、貨物自動車の荷台を箱型（例えば、コンテナ）に形成し、この箱型荷台の内部に荷物を積載させる方法がある。
【０００４】
【発明が解決しようとする課題】
しかしながら、荷台を覆うようにシートを展開させる方法では、これを人手により行なうようにしていたため、シートを広げて荷台に被せたり、逆に、広げたシートを折り畳んで収納するといった作業に多大の時間と労力を要し、作業性が悪いという問題があった。
【０００５】
又、箱型荷台の内部に荷物を積載させる方法では、荷物の積み下ろしに際し、箱型荷台の側面あるいは後面に形成した扉を開けて、そこから積み下ろしの作業を行なわなければならない。
荷物によっては、その積み下ろしを荷台の上方からクレーンを用いて行なうようにした方が能率的であることが多く、このような場合、従来の箱型荷台では、上面が閉鎖されているため、上方からの積み下ろしができない。従って、上方からクレーンを用いて荷物を積み下ろすことができず、作業性が悪いという問題があった。
【０００６】
本発明は、かかる従来の問題を解決するためになされたもので、シートを用いることで、荷物の積み下ろしを荷台の上方からクレーンを用いて行なうことができるようにさせて、荷物の積み下ろしが能率的にできるようにする。
更に、このシートを、モータを利用して自動的に展開させたり、その展開状態から巻き取り収納できるようにすることで、シートを広げて荷台に被せたり、逆に、広げたシートを折り畳んで収納するといった作業を能率的に行なうことができるようにした荷台用シート装置を提供することを課題としている。
【０００７】
【課題を解決するための手段】
上記の課題を解決するために、本発明の荷台用シート装置（請求項１）は、
貨物自動車の荷台を覆うようにシートを展開させると共に、この展開させたシートを巻き取り収納させることができるようにした荷台用シート装置であって、荷台の前部上方に荷台幅方向に横架して前軸を軸支させると共に、荷台の後部上方に荷台幅方向に横架して後軸を軸支させ、
前軸及び後軸を、それぞれ独立した正逆転モータに連結させ、
前軸と後軸の間に複数本のロープを渡すと共に、この複数本のロープ上にシートを取り付け、
後軸で各ロープを巻き取りながら、前軸に巻き取り収納されていた各ロープ及びシートを繰り出すことで、荷台を覆う状態にシートを展開させ、
このシート展開状態から前軸で各ロープ及びシートを巻き取りながら、後軸に巻き取られていた各ロープを繰り出すことで、荷台を開放させる状態にシートを巻き取り収納させるように形成した構成とした。
【０００８】
また、本発明の荷台用シート装置（請求項２）は、
前記荷台用シート装置（請求項１）において、シートにロープの延長方向に延長した複数の筒状部を形成させ、この各筒状部内に各ロープを挿通することで、ロープ上にシートを取り付けるように形成した。
【０００９】
また、本発明の荷台用シート装置（請求項３）は、
前記荷台用シート装置（請求項１又は２）において、各ロープを、前端を前軸に取り付けた前側ロープと、後端を後軸に取り付けた後側ロープで形成させ、前側ロープの後端と後側ロープの前端を着脱可能に連結させると共に、前記シートを前側ロープ上に取り付けるように構成した。
【００１０】
また、本発明の荷台用シート装置（請求項４）は、
前記荷台用シート装置（請求項１又は２又は３）において、後軸に複数個の巻き取りドラムを取り付け、この巻き取りドラムには両端にフランジを形成させ、この各巻き取りドラムで各ロープを巻き取るように形成した構成とした。
【００１１】
【発明の実施の形態】
以下、本発明の実施の形態を図面に示す実施例により詳述する。
図１は本発明の１実施例である荷台用シート装置を装備した貨物自動車の平面図、図２はその側面図、図３は荷台用シート装置を示す平面図である。
【００１２】
図において、Ａは貨物自動車で、その荷台９に荷台用シート装置１が装備されている。
前記荷台９は、その後端に後扉９０、その両側端に側扉９１，９１、その前端に鳥居と称される前板９２が設けられている。
【００１３】
前記荷台用シート装置１には、荷台９の前部上方に荷台幅方向に横架して前軸２が軸支されると共に、荷台９の後部上方に荷台幅方向に横架して後軸３が軸支されている。
この場合、前記前板９２の上端にはフレーム４０が取り付けられ、このフレーム４０の両端に軸受２０，２０が取り付けられ、この軸受２０，２０間に前軸２の両端が軸支され、かつ前軸２の一端が、フレーム４０の一端に取り付けた正逆転モータ２１に連結されている。
【００１４】
又、荷台９の後端部両側には、支柱５０，５０が立設され、この両支柱５０，５０の上端に取り付けた軸受３０，３０間に前記後軸３が軸支され、かつ後軸３の一端が、一方の支柱５０の上端に取り付けた正逆転モータ３１に連結されている。
なお、前記正逆転モータ２１，３１は、その停止状態で、ロックできるように形成されたモータ（例えば、ギヤドモータ）が用いられている。
又、前記正逆転モータ２１，３１の操作レバー２２，３２は、一人の作業者で同時に両方の正逆転モータ２１，３１を操作できるように、荷台９の側部等に一ヶ所にまとめて配置されている。
【００１５】
又、前記支柱５０，５０は、荷台９に固定された下側支柱５１の内部に上側支柱５２を摺動可能に嵌合した２重構造に形成され、上側支柱５２を上下方向に摺動させることで伸縮可能に形成されている。なお、上側支柱５２は、止め具５３によって下側支柱５１に対して固定されるようになっている。
【００１６】
なお、一方の支柱５０の上端には、縦軸５４により水平方向に回転可能な台座５５が取り付けられ、この台座５５上に前記正逆転モータ３１及び一方の軸受３０が取り付けられている。
又、他方の支柱５０の上端には、ロック手段（例えば、止めネジや止めピン等）で、支柱５０に着脱可能な台座５６が設けられ、この台座５６上に他方の軸受３０が取り付けられている。
従って、ロック手段を解除して台座５６を他方の支柱５０から分離させ、この状態で図３に示すように、前記縦軸５４を中心として後軸３を水平方向に旋回させれば、この後軸３を荷台９の後部位置から荷台９の外部位置に避けることができる。
【００１７】
又、前軸２と後軸３の間には、複数本（実施例では４本）のロープ６が渡され、この複数本のロープ６上にシート７が取り付けられている。
この場合、前記ロープ６は、前端を前軸２に取り付けた前側ロープ６０と、後端を後軸に取り付けた後側ロープ６１で形成され、前側ロープ６０の後端と後側ロープ６１の前端が連結金具６２により着脱可能に連結されている。
【００１８】
なお、前記前側ロープ６０の前端は、前軸２に直接に固定され、又、後軸３にはロープ６の本数に応じた複数個（実施例では４個）の巻き取りドラム３３が取り付けられ、この巻き取りドラムは両端にフランジ３４，３４が形成されて、このフランジ３４，３４の内側で前記後側ロープ６１を巻き取るように形成されている。
【００１９】
前記前側ロープ６０上にシート７が取り付けられるもので、この場合、シート７にロープ６の延長方向に延長した複数の筒状部７０を細幅で形成させ、この各筒状部７０内に各前側ロープ６０を挿通することで、シート７を取り付けるように形成されている。
なお、前記シート７の長さは荷台９の長さよりも長く形成され、又、その横幅も荷台９の横幅より幅広く形成されて、その展開状態で、左右両側の張出部７１，７１により荷台９を十分に覆うことができるように形成されている。
又、シート７の両側縁部分には、シート７を荷台９に被せたときの裾部分の弛みを引っ張るためのゴムバンド７３が取り付けられている。
【００２０】
そして、シート７で荷台９を覆う際には、正逆転モータ３１を駆動（例えば、正転）させて、後軸３で各ロープ６を巻き取りながら、同時に正逆転モータ２１を駆動（例えば、正転）させて、前軸２に巻き取り収納されていた各ロープ６及びシート７を繰り出すことで、荷台９を覆う状態にシート７を展開させるようになっている。
【００２１】
又、シート７を巻き取り収納させる際には、シート展開状態から正逆転モータ２１を駆動（例えば、逆転）させて、前軸２で各ロープ６及びシート７を巻き取りながら、同時に正逆転モータ３１を駆動（例えば、逆転）させて、後軸３に巻き取られていた各ロープ６を繰り出すことで、荷台９を開放させる状態にシート７を巻き取り収納させるようになっている。
このとき、シート７の左右両側に設けた張出部７１，７１は、垂れ下がりを防止するために、図１に示すように、内側に折り込んで、ロープ６と共に巻き取られるようにする。
【００２２】
このように、本実施例の荷台用シート装置１では、正逆転モータ２１，３１の駆動によるロープ６やシート７の巻き取り、繰り出しによって、シート７を荷台９上で展開させたり、逆に、巻き取り収納させることができる。
特に、シート７をロープ６に取り付けたので、このロープ６の巻き取り、繰り出しに伴なってシート７を確実かつ乱れなく、巻き取り、繰り出すことができる。
従って、シート７を広げて荷台９に被せたり、広げたシート７を折り畳んで収納するといった作業を能率的に行なうことができる。
又、荷物の積み下ろしを荷台９の上方からクレーンを用いて行なうことができるため、荷物の積み下ろしが能率的に行なえる。
【００２３】
このとき、前軸２及び後軸３をそれぞれ独立した正逆転モータ２１，３１により駆動させるようにしたので、ロープ６やシート７の巻き径が変化することに伴なうロープ６やシート７の弛みや緊張を両正逆転モータ２１，３１により調節しながら解消させて、適正にシート７を荷台９上で展開させたり、巻き取り収納させることができる。
【００２４】
又、後軸３に巻き取りドラム３３を設けているので、この巻き取りドラム３３のフランジ３４，３４内でロープ６を巻き取ることができ、ロープ６が左右に振れることによる巻き乱れを防止することができる。
【００２５】
また、ロープ６を、着脱可能に連結された前側ロープ６０と、後側ロープ６１で形成したので、シート７を巻き取り収納したのち、前側ロープ６０と後側ロープ６１を連結金具６２で分断させて、後側ロープ６１を巻き取るようにすれば、荷台９上には、ロープ６がなくなり、荷物の積み下ろしに際し、ロープ６が邪魔になることがない。
【００２６】
又、図３に示すように、後軸３を水平方向に旋回させることができるため、この後軸３を荷台９の後部位置から荷台９の外部位置に避けることができ、荷台９の後方からでも荷物の積み下ろしを行なうことができるようになる。
【００２７】
又、ロープ６を、シート７に形成した筒状部７０に挿通させて、ロープ６上にシート７を取り付けるように形成したので、ロープ６に対するシート７の取り付け、取り外しが簡単になり、シート７及びロープ６の補修や交換、洗濯等に便利である。
【００２８】
なお、本発明において、前軸２に巻き取り収納したシート７を覆うように、カバー等を設けるようにすることは、適宜に行なえるし、各部の具体的な構成は、実施例に限定されるものではない。
【００２９】
【発明の効果】
以上説明してきたように、本発明の荷台用シート装置（請求項１）にあっては、シートを用いたので、荷物の積み下ろしを荷台の上方からクレーンを用いて行なうことができるようになり、荷物の積み下ろしを能率的に行なうことができる。
又、シートをモータ駆動により自動的に展開させたり、その展開状態から巻き取り収納できるため、シートを広げて荷台に被せたり、広げたシートを折り畳んで収納するといった作業を能率的に行なうことができる。
特に、シートをロープに取り付けたので、このロープの巻き取り、繰り出しに伴なってシートを確実かつ乱れなく、巻き取り、繰り出すことができる。
更に、前軸及び後軸をそれぞれ独立した正逆転モータにより駆動させるようにしたので、ロープやシートの巻き径が変化することに伴なうロープやシートの弛みや緊張を両正逆転モータにより調節しながら解消させて、適正にシートを荷台上で展開させたり、巻き取り収納させることができる。
【００３０】
又、ロープを、シートに形成した筒状部に挿通させて、ロープ上にシートを取り付けるように形成したので（請求項２）、ロープに対するシートの取り付け、取り外しが簡単になり、シート及びロープの補修や交換、洗濯等が便利になる。
【００３１】
また、ロープを、着脱可能に連結された前側ロープと、後側ロープで形成したので（請求項３）、シートを巻き取り収納したのち、前側ロープと後側ロープを連結金具で分断させて、後側ロープを巻き取るようにすれば、荷台上には、ロープがなくなり、荷物の積み下ろしに際し、ロープが邪魔になることがない。
【００３２】
又、後軸に巻き取りドラムを設けているので（請求項４）、この巻き取りドラムのフランジ内でロープを巻き取ることができ、ロープが左右に振れることによる巻き乱れを防止することができる。
【図面の簡単な説明】
【図１】本発明の１実施例である荷台用シート装置を装備した貨物自動車の平面図である。
【図２】その側面図である。
【図３】荷台用シート装置を示す平面図である。
【符号の説明】
１　荷台用シート装置
２　前軸
２０　軸受
２１　正逆転モータ
２２　操作レバー
３　後軸
３０　軸受
３１　正逆転モータ
３２　操作レバー
３３　巻き取りドラム
３４　フランジ
４０　フレーム
５０　支柱
５１　下側支柱
５２　上側支柱
５３　止め具
５４　縦軸
５５　台座
５６　台座
６　ロープ
６０　前側ロープ
６１　後側ロープ
６２　連結金具
７　シート
７０　筒状部
７１　張出部
７３　ゴムバンド
９　荷台
９０　後扉
９１　側扉
９２　前板
Ａ　貨物自動車
【図１】
2004066869.tif 000003
【図２】
2004066869.tif 000004
【図３】
2004066869.tif 000005